(57)【特許請求の範囲】
【請求項１】
前面窓部とその周囲に設けられる側壁とを有する金属製のケースと、
前記側壁の内面に当接支持されて前記ケース内に配備されるレギュレーターと、
前記レギュレーターからの出力によって駆動し前記ケース内に配置される駆動部と、
前記前面窓部の範囲内に光入射口を備え前記前面窓部を内側から気密に塞ぐように前記ケースに押圧支持される樹脂支持板と、
前記光入射口に対応するレンズ枠を含み前記樹脂支持板の後側に装着されるカメラユニットとを備えることを特徴とするカメラ装置。
【請求項２】
前記前面窓部は、周囲にシール材が装着された透明板を介して前記樹脂支持板によって塞がれることを特徴とする請求項１記載のカメラ装置。
【請求項３】
前記レギュレーターは、面積が広い面を前記側壁の内面に押圧する取り付け具によって前記ケースに取り付けられていることを特徴とする請求項１又は２記載のカメラ装置。
【発明の詳細な説明】
【技術分野】
【０００１】
本発明は、車載用や屋外設置用など外部環境下に設置されるカメラ装置に関するものである。
【背景技術】
【０００２】
車載用のバックビューモニターや屋外に設置される監視装置などのカメラ装置は、カメラユニットを保護するための防水・防塵機能を有するカバーを備えている（下記特許文献１参照）。また、このようなカメラ装置は、自動操作や遠隔操作を行うために、バッテリ電源よって駆動するモータなどの駆動部を備えており、駆動部への電気供給はバッテリー電源の電圧を所定電圧に降下させるレギュレーターを介して行っている。
【先行技術文献】
【特許文献】
【０００３】
【特許文献１】特開２０１１−４６３３１号公報
【発明の概要】
【発明が解決しようとする課題】
【０００４】
カメラ装置のカバー内にレギュレーターを内蔵する場合、レギュレーターから発生する熱を如何にしてカバーの外に放出するかが問題になる。従来のカメラ装置は、カバー自体を熱伝導性の高い金属製（例えば、アルミダイキャスト）としてこのカバーにレギュレーターを取り付けることで、カバーを放熱体として機能させている。このような従来のカメラ装置によると、カバー全体が金属製の厚肉成形であるため高重量になる問題があり、また、金属製カバーの内部に反射防止のための塗装が必要であったり、カメラユニットを装着するためのねじ切りを２次加工で形成する必要があるので、製造工程が煩雑でコストアップになる問題がある。
【０００５】
また、金属製のカバーの厚みによって、前面開口とカメラユニットとの距離をある程度長くする必要があるので、広角なカメラユニット採用することができず、更には、金属製のカバーは色の選択範囲が狭いのでデザイン性に劣り、商品価値を高め難いという問題があった。
【０００６】
本発明は、このような問題に対処することを課題の一例とするものである。すなわち、軽量化・低コスト化が可能で、広角なカメラユニットを装備可能であり、商品価値を高めることができるカメラ装置を提供すること、等が本発明の目的である。
【課題を解決するための手段】
【０００７】
このような目的を達成するために、本発明によるカメラ装置は、以下の構成を具備するものである。
前面窓部とその周囲に設けられる側壁とを有する金属製のケースと、前記側壁の内面に当接支持されて前記ケース内に配備されるレギュレーターと、前記レギュレーターからの出力によって駆動し前記ケース内に配置される駆動部と、前記前面窓部の範囲内に光入射口を備え前記前面窓部を内側から気密に塞ぐように前記ケースに押圧支持される樹脂支持板と、前記光入射口に対応するレンズ枠を含み前記樹脂支持板の後側に装着されるカメラユニットとを備えることを特徴とするカメラ装置。
【図面の簡単な説明】
【０００８】
【図１】本発明の実施形態に係るカメラ装置の全体構成を示した説明図（（ａ）が斜視図、（ｂ）が側面図）である。
【図２】本発明の実施形態に係るカメラ装置の分解斜視図である。
【図３】本発明の実施形態に係るカメラ装置のケース内構造を示した説明図（（ａ）が平面図、（ｂ）が（ａ）におけるＸ−Ｘ断面図）である。
【発明を実施するための形態】
【０００９】
以下、図面を参照して本発明の実施形態を説明する。図１〜図３は、本発明の実施形態に係るカメラ装置の全体構成を示している。カメラ装置１は、前面窓部２Ａとその周囲に設けられる側壁２Ｂとを有する金属製のケース２を備えている。ケース２は、カメラユニット６を保護するために設けられるものであり、前面側が前面窓部２Ａで大きく開口しており、その前面窓部２Ａが透明板８と樹脂支持板５によって内側から塞がれている。ここでは透明板８と樹脂支持板５を別部材にしているが、二色成形によって光入射口５Ａを透明樹脂で形成した樹脂支持板５を用いることで、ここでの透明板８を省略することが可能である。
【００１０】
図示の例では、図２及び図３（ｂ）に示すように、前面窓部２Ａの閉塞に防水性を持たせるために、周囲にシール材７が装着された透明板８を介した樹脂支持板５によって前面窓部２Ａを塞いでいる。樹脂支持板５は光入射口５Ａを備えており、それ以外は遮光性を有している。樹脂支持板５の表面には樹脂成型によってシボが施されており、これによって反射防止面が形成されている。樹脂支持板５は、前面窓部を内側から塞ぐようにケース２に押圧支持されている。樹脂支持板５に形成された取付孔５Ｂに取り付けねじ５Ｃを挿入してケース２に結合することで、樹脂支持板５をケース２に押圧支持することができる。
【００１１】
前面窓部２Ａが光入射口５Ａを有する樹脂支持板５で塞がれたケース２内には、レギュレーター３が配備されている。レギュレーター３は外部に設けられるバッテリー（図示省略）の電圧を所定電圧に降下させて出力するものであり、特にカメラ装置１が車載用の場合には、不安定な車両のバッテリー電源から安定した電圧を出力することができる。
【００１２】
レギュレーター３は、ケース２の側壁２Ｂの内面２Ｂ１に沿って縦置きされた状態で配備されており、レギュレーター３における面積が広い面が内面２Ｂ１に押圧されて当接するように、取り付け具９によってケース２に取り付けられている。このように取り付けられたレギュレーター３は、金属製のケース２の側壁２Ｂを放熱体として発生した熱を効率的に放熱することができる。これによって、ケース２の前面側にレギュレーター３から放出された熱が伝わることを抑止することができ、この前面側に熱に弱い樹脂支持板５を配備することが可能になる。取り付け具９は、ばね性を有する板材であって、このバネ性によってレギュレーター３が側壁２Ｂの内面２Ｂ１に確実に押圧されている。
【００１３】
ケース２内には、レギュレーター３からの出力によって駆動する駆動部４が配置されている。駆動部４は、図示の例では、ケース２の前面窓部２Ａを開閉するシャッター部材１０を開閉動作させるものであるが、これに限らずカメラ装置１の撮像方向の変更などを行う動作部を駆動させるものであってもよい。駆動部４は、駆動回路板４Ａとモーター４Ｂを備えており、側壁２Ｂの他の内面に向いて配置されている。シャッター部材１０は、ケース２の側壁２Ｂの外面に沿って配備される腕部１０Ａを備えており、この腕部１０Ａにモーター４Ｂによって回転駆動される回転軸１１が接続されている。シャッター部材１０はカメラ装置１の非使用時には前面窓部２Ａの前方を覆っており、カメラ装置１の使用時に前面窓部２Ａの前方を開放する。
【００１４】
ケース２内で前面窓部２Ａを塞ぐ樹脂支持板５には、光入射口５Ａに対応するレンズ枠６Ａを含むカメラユニット６が支持されている。カメラユニット６は樹脂支持板５が備える装着孔５Ｄにねじ止めなどで装着される。このように、樹脂支持板５にカメラユニット６を装着することで、金属製のケース２を２次加工することが不要になり、簡易にカメラユニット６を装着することが可能になる。また、樹脂支持板５は薄厚に成形することができるので、広い前面窓部２Ａから光入射口５Ａを介してカメラユニット６に光を取り込むことができる。これによってカメラユニット６を広角化することが可能になる。なお、ケース２におけるカメラユニット６の後方側には、図示省略した後部ケースが取り付けられるか、或いはケース２を他の筐体に装着することでケース２内の気密性が確保される。
【００１５】
このようなカメラ装置１は、レギュレーター３をケース２内に内蔵するに際して、熱を発するレギュレーター３をケース２における側壁２Ｂの内面２Ｂ１に当接させることで、前面側に樹脂支持板５を配備することを可能にしている。これによって前面窓部２Ａの閉塞或いは防水を軽量の樹脂支持板５によって行うことができるようになり、カメラ装置１全体の軽量化が可能になる。また、樹脂支持板５にカメラユニット６を支持することで、反射防止の塗装やねじ切りの２次加工を排除することができるので、製造工程の簡略化や製造コストの低減化が可能になる。更には、樹脂支持板５のカラーを任意に選択することで高いデザイン性のカメラ装置１を提供することが可能になる。
【符号の説明】
【００１６】
１：カメラ装置，２：ケース，２Ａ：前面窓部，２Ｂ：側壁，２Ｂ１：内面，
３：レギュレーター，４：駆動部，４Ａ：駆動回路基板，４Ｂ：モーター，
５：樹脂支持板，
５Ａ：光入射口，５Ｂ：取付孔，５Ｃ：取り付けねじ，５Ｄ：装着孔，
６：カメラユニット，６Ａ：レンズ枠，
７：シール材，８：透明板，９：取り付け具，
１０：シャッター部材，１０Ａ：腕部，１１：回転軸
【図１】
0006353752.tif 000002
【図２】
0006353752.tif 000003
【図３】
0006353752.tif 000004